(57)【要約】      （修正有）【課題】同時にＳＩＭカードとマイクロＳＩＭカードを収容できるＳＩＭカードホルダーを提供する。【解決手段】ＳＩＭカードホルダーは、レセプタ、端子固定フレーム及び導電端子を包含し、該端子固定フレームの下表面は該回路板に固着され、上表面と下表面を貫通する端子溝が設けられ、該レセプタの表面にＳＩＭカードを収容する第１カードスロットが設けられ、該第１カードスロットの底部に該第１カードスロットと該レセプタ上表面を貫通し、ＳＩＭカードを収容する第２カードスロットが設けられ、ＳＩＭカードの金属接触部はマイクロＳＩＭカードの金属接触部の真下に位置し、該導電端子の一端は該回路板に半田付けされ、別端は該端子溝より突伸し、ＳＩＭカード及び／又はマイクロＳＩＭカードの金属接触部との接続に供される。【選択図】図３
0003170098.tif 000002
【実用新案登録請求の範囲】
【請求項１】
ＳＩＭカードホルダーにおいて、該ＳＩＭカードホルダーはＳＩＭカードを回路板上に固定接続するのに用いられ、レセプタ、端子固定フレーム及び導電端子を包含し、該端子固定フレームの下表面は該回路板に固着され且つ上表面と下表面を貫通する端子溝が設けられ、該レセプタの表面に第１カードスロットが設けられ、該第１カードスロットの底部に該第１カードスロットと該レセプタ上表面を貫通する第２カードスロットが設けられ、ＳＩＭカードは該第１カードスロット内に収容され、マイクロＳＩＭカードは該第２カードスロット内に収容され、ＳＩＭカードの金属接触部はマイクロＳＩＭカードの金属接触部の真下に位置し、該導電端子の一端は該回路板に半田付けされ、別端は該端子溝より突伸し並びに該第１カードスロットと第２カードスロット内に進入し、ＳＩＭカード及び／又はマイクロＳＩＭカードの金属接触部との接続に供されることを特徴とする、ＳＩＭカードホルダー。
【請求項２】
請求項１記載のＳＩＭカードホルダーにおいて、さらに第１圧着部材を包含し、該第１圧着部材は第１圧着部と該第１圧着部の両側より下向きに折り曲げられて形成された第１折り曲げ部、該第１圧着部及び該第１折り曲げ部が形成する第１圧着溝を包含し、該第１圧着溝は該レセプタ上に圧着され且つ第１圧着部は緊密に該第２カードスロットに当接し、該第１折り曲げ部は緊密に該レセプタの前表面及び後ろ表面に当接することを特徴とする、ＳＩＭカードホルダー。
【請求項３】
請求項２記載のＳＩＭカードホルダーにおいて、該第１折り曲げ部に位置決め孔が設けられ、該レセプタの前表面と後ろ表面に該位置決め孔に対応するように位置決め柱が設けられ、該位置決め柱が該位置決め孔に挿入されることを特徴とする、ＳＩＭカードホルダー。
【請求項４】
請求項１記載のＳＩＭカードホルダーにおいて、さらに第２圧着部材を包含し、該端子固定フレームの下表面の角部に切欠きが保留され、該第２圧着部材は第２圧着部と該第２圧着部の両側が下向きに折り曲げられてなる第２折り曲げ部、該第２圧着部と該第２折り曲げ部が形成する第２圧着溝を包含し、該第２圧着溝は該レセプタ、該端子固定フレーム及び該第１圧着部材上に圧着され、且つ該第２折り曲げ部上に水平方向に添って突伸する嵌め板が設けられ、該嵌め板が該切欠きに嵌合されることを特徴とする、ＳＩＭカードホルダー。
【請求項５】
請求項４記載のＳＩＭカードホルダーにおいて、該第２圧着部にさらに弾性片が設置され、該弾性片の一端は該第２圧着部に接続され、別端は折り曲げられた後に上向きに傾斜し、折り曲げにより形成された円弧形部が該レセプタの上表面上に当接し、且つ該レセプタの上表面に該円弧形部に対応する凹溝が設けられ、該円弧形部が該凹溝内に進入して該レセプタの上表面に接触することを特徴とする、ＳＩＭカードホルダー。
【考案の詳細な説明】
【技術分野】
【０００１】
本考案は携帯電話中のアクセサリ領域に係り、さらに具体的には、一種の、ＳＩＭカードとマイクロＳＩＭカードを同時に収容できる一種のＳＩＭカードホルダーに関する。
【背景技術】
【０００２】
情報技術の不断の発展に伴い、携帯電話はリアルタイム通信ツールとして深く日常生活に浸透している。携帯電話は使用時にＳＩＭカードを取り付ける必要があり、すなわち、ＳＩＭカードは携帯電話使用者のＩＤカードであり、通信ネットワークとの情報伝送機能を実現する。これにより、携帯電話の中にＳＩＭカードを設置するためのホルダーが必要であり、ＳＩＭカードはホルダーの中で携帯電話と接続されて通信の機能を達成する。
【０００３】
現在市場にはＳＩＭカードのほか、マイクロＳＩＭカードがあるが、いまだＳＩＭカードとマイクロＳＩＭカードを同時に収容できるホルダーはなく、このために使用者にとって制限が比較的多くなった。
【０００４】
このため、ＳＩＭカードとマイクロＳＩＭカードを同時に収容できるＳＩＭカードホルダーが必要とされている。
【考案の概要】
【考案が解決しようとする課題】
【０００５】
本考案は、ＳＩＭカードとマイクロＳＩＭカードを同時に収容できるＳＩＭカードホルダーを提供することを目的としている。
【課題を解決するための手段】
【０００６】
上述の目的を実現するための本考案の技術手段は以下のとおりである。本考案は一種のＳＩＭカードホルダーを提供し、それは、ＳＩＭカードを回路板上に固定接続するのに用いられ、レセプタ、端子固定フレーム及び導電端子を包含し、該端子固定フレームの下表面は該回路板に固着され且つ上表面と下表面を貫通する端子溝が設けられ、該レセプタの表面に第１カードスロットが設けられ、該第１カードスロットの底部に該第１カードスロットと該レセプタ上表面を貫通する第２カードスロットが設けられ、ＳＩＭカードは該第１カードスロット内に収容され、マイクロＳＩＭカードは該第２カードスロット内に収容され、ＳＩＭカードの金属接触部はマイクロＳＩＭカードの金属接触部の真下に位置し、該導電端子の一端は該回路板に半田付けされ、別端は該端子溝より突伸し並びに該第１カードスロットと第２カードスロット内に進入し、ＳＩＭカード及び／又はマイクロＳＩＭカードの金属接触部との接続に供される。
【０００７】
よりよくは、さらに第１圧着部材を包含し、該第１圧着部材は第１圧着部と該第１圧着部の両側より下向きに折り曲げられて形成された第１折り曲げ部、該第１圧着部及び該第１折り曲げ部が形成する第１圧着溝を包含し、該第１圧着溝は該レセプタ上に圧着され且つ第１圧着部は緊密に該第２カードスロットに当接し、該第１折り曲げ部は緊密に該レセプタの前表面及び後ろ表面に当接する。マイクロＳＩＭカードが該第２カードスロットに嵌め込まれる時、該第１圧着部材は該レセプタに圧着され、該第１圧着部とマイクロＳＩＭカードが当接し、マイクロＳＩＭカードが該第２カードスロットに保持され且つ導電端子と良好に接触する。
【０００８】
よりよくは、該第１折り曲げ部に位置決め孔が設けられ、該レセプタの前表面と後ろ表面に該位置決め孔に対応するように位置決め柱が設けられ、該位置決め柱が該位置決め孔に挿入される。該位置決め孔と該位置決め柱の組合せにより、該第１圧着部材の該レセプタへの良好な圧着が確保され、該導電端子と該マイクロＳＩＭカードの弾性接触による移動が発生しない。
【０００９】
よりよくは、さらに第２圧着部材を包含し、該端子固定フレームの下表面の角部に切欠きが保留され、該第２圧着部材は第２圧着部と該第２圧着部の両側が下向きに折り曲げられてなる第２折り曲げ部、該第２圧着部と該第２折り曲げ部が形成する第２圧着溝を包含し、該第２圧着溝は該レセプタ、該端子固定フレーム及び該第１圧着部材上に圧着され、且つ該第２折り曲げ部上に水平方向に添って突伸する嵌め板が設けられ、該嵌め板が該切欠きに嵌合される。該第２圧着部にさらに弾性片が設置され、該弾性片の一端は該第２圧着部に接続され、別端は折り曲げられた後に上向きに傾斜し、折り曲げにより形成された円弧形部が該レセプタの上表面上に当接し、且つ該レセプタの上表面に該円弧形部に対応する凹溝が設けられ、該円弧形部が該凹溝内に進入して該レセプタの上表面に対して接触する。該嵌め板と該切欠きの組合せ、及び該円弧形部と該凹溝の組合せにより、該レセプタ、該端子固定フレーム及び該第１圧着部材が一体に圧着され、該レセプタに取付けられたＳＩＭカード及び／又はマイクロＳＩＭカードの導電端子との良好な電気的接続が確保される。
【考案の効果】
【００１０】
周知の技術と比較すると、本考案のＳＩＭカードホルダーは、レセプタに第１カードスロットと第２カードスロットが開設され、すなわち該第１カードスロットの底部に該第１カードスロットと該レセプタの上表面を貫通してマイクロＳＩＭカード形状とマッチングする該第２カードスロットが開設され、ＳＩＭカードが該第１カードスロットに挿入されているか否かに関わらず、マイクロＳＩＭカードが該第２カードスロットに挿入可能であり、導電端子がいずれもＳＩＭカード及び／又はマイクロＳＩＭカードの金属接触部と接続され、これにより、本考案のＳＩＭカードホルダーはＳＩＭカードとマイクロＳＩＭカードを共に収容できる。
【図面の簡単な説明】
【００１１】
【図１】本考案のＳＩＭカードホルダーの実施例の立体構造表示図である。
【図２】図１のＳＩＭカードホルダーのＡ−Ａ断面図である。
【図３】図１のＳＩＭカードホルダーの分解図である。
【図４】図１のＳＩＭカードホルダーのレセプタの構造表示図である。
【図５】図１のＳＩＭカードホルダーの第２圧着部材の構造表示図である。
【考案を実施するための形態】
【００１２】
本考案の技術内容、構造特徴、達成する目的を詳細に説明するため、以下に実施例を挙げ並びに図面を組み合わせて説明する。
【００１３】
図１から図５を参照されたい。本考案の提供するＳＩＭカードホルダー１００は、ＳＩＭカードを回路板１上に固定接続するのに用いられ、レセプタ１０、端子固定フレーム２０及び導電端子３０を包含する。レセプタ１０は上表面１０ａ、下表面１０ｂ、前表面１０ｃ及び後表面１０ｄを具えている。端子固定フレーム２０は上表面２０ａ及び下表面２０ｂを具えている。
【００１４】
図２から図４に示されるように、端子固定フレーム２０の下表面２０ｂは回路板１上に固定接続され、且つ端子溝２１が開設されている。該端子溝２１は上表面２０ａと下表面２０ｂを貫通する。レセプタ１０の下表面２０ｂにＳＩＭカード２形状とマッチングする第１カードスロット１１が開設され、該第１カードスロット１１の底部に該第１カードスロット１１とレセプタ１０の上表面１０ａを貫通してマイクロＳＩＭカード３形状とマッチングする第２カードスロット１２が開設されている。
【００１５】
ＳＩＭカード２が第１カードスロット１１内に収容され及び／又はマイクロＳＩＭカード３が第２カードスロット１２内に収容される時、ＳＩＭカード２の金属接触部はマイクロＳＩＭカード３の金属接触部のちょうど下方に位置し、導電端子３０の一端は回路板１上に半田付けされ、別端は端子溝２１より突出し並びに第１カードスロット１１と第２カードスロット１２内に進入し、ＳＩＭカード２及び／又はマイクロＳＩＭカード３の金属接触部との接続に用いられる。
【００１６】
図３に示されるように、さらに第１圧着部材４０を包含し、該第１圧着部材４０は第１圧着部４１と該第１圧着部４１の両側より下向きに折り曲げられて形成された第１折り曲げ部４２、該第１圧着部４１及び該第１折り曲げ部４２が形成する第１圧着溝４３を包含し、該第１圧着溝４３は該レセプタ１０上に圧着され且つ第１圧着部４１は緊密に該第２カードスロット１２に当接し、該第１折り曲げ部４２は緊密に該レセプタ１０の前表面１０ｃ及び後表面１０ｄに当接する。マイクロＳＩＭカード３が該第２カードスロット１２に嵌め込まれる時、該第１圧着部材４０は該レセプタ１０に圧着され、該第１圧着部４１とマイクロＳＩＭカード３が当接し、マイクロＳＩＭカード３が該第２カードスロット２に確実に保持され且つ導電端子３０と良好に接触する。
【００１７】
図３に示されるように、該第１折り曲げ部４２に位置決め孔４２ａが設けられ、該レセプタ１０の前表面１０ｃと後ろ表面１０ｄに該位置決め孔４２ａに対応するように位置決め柱１３が設けられ、該位置決め柱１３が該位置決め孔４２ａに挿入される。該位置決め孔４２ａと該位置決め柱１３の組合せにより、該第１圧着部材４０の該レセプタ１０への良好な圧着が確保され、該導電端子３０と該マイクロＳＩＭカード３の弾性接触による移動が発生しない。
【００１８】
図３及び図５を参照されたい。本考案はさらに第２圧着部材５０を包含し、該端子固定フレーム２０の下表面２０ｂの角部に切欠き２２が保留され、該第２圧着部材５０は第２圧着部５１と該第２圧着部５１の両側が下向きに折り曲げられてなる第２折り曲げ部５２、該第２圧着部５１と該第２折り曲げ部５２が形成する第２圧着溝５３を包含し、該第２圧着溝５３は該レセプタ１０、該端子固定フレーム２０及び該第１圧着部材４０上に圧着され、且つ該第２折り曲げ部５２上に水平方向に添って突伸する嵌め板５４が設けられ、該嵌め板５４が該切欠き２２に嵌合される。該第２圧着部５１にさらに弾性片５５が設置され、該弾性片５５の一端は該第２圧着部５１に接続され、別端は折り曲げられた後に上向きに傾斜し、折り曲げにより形成された円弧形部５６が該レセプタ１０の上表面１０ａ上に当接し、且つ該レセプタ１０の上表面１０ａに該円弧形部５６に対応する凹溝１４が設けられ、該円弧形部５６が該凹溝１４内に進入して該レセプタ１０の上表面１０ａに対して接触する。該嵌め板５４と該切欠き２２の組合せ、及び該円弧形部５６と該凹溝１４の組合せにより、該レセプタ１０、該端子固定フレーム２０及び該第１圧着部材４０が一体に圧着され、該レセプタ１０に取付けられたＳＩＭカード２及び／又はマイクロＳＩＭカード３の導電端子３０との良好な電気的接続が確保される。
【００１９】
図１から図５を結合すると、本考案のＳＩＭカードホルダー１００は、レセプタ１０に第１カードスロット１１と第２カードスロット１２が開設され、すなわち該第１カードスロット１１の底部に該第１カードスロット１１と該レセプタ１０の上表面１０ａを貫通してマイクロＳＩＭカード３形状とマッチングする該第２カードスロット１２が開設され、ＳＩＭカード２が該第１カードスロット１１に挿入されているか否かに関わらず、マイクロＳＩＭカード３が該第２カードスロット１２に挿入可能であり、導電端子３０がいずれもＳＩＭカード２及び／又はマイクロＳＩＭカード３の金属接触部と接続され、これにより、本考案のＳＩＭカードホルダー１００はＳＩＭカード２とマイクロＳＩＭカード３を共に収容できる。
【００２０】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２１】
１００  ＳＩＭカードホルダー
１  回路板                        ２  ＳＩＭカード
３  マイクロＳＩＭカード          １０  レセプタ
１０ａ  上表面                    １０ｂ  下表面
１０ｃ  前表面                    １０ｄ  後表面
１１  第１カードスロット          １２  第２カードスロット
１３  位置決め柱                  １４  凹溝
２０  端子固定フレーム            ２０ａ  上表面
２０ｂ  下表面                    ２１  端子溝
２２  切欠き                      ３０  導電端子
４０  第１圧着部材                ４１  第１圧着部
４２  第１折り曲げ部              ４２ａ  位置決め孔
４３  第１圧着溝                  ５０  第２圧着部材
５１  第２圧着部                  ５２  第２折り曲げ部
５３  第２圧着溝                  ５４  嵌め板
５５  弾性片                      ５６  円弧形部
【図１】
0003170098.tif 000003
【図２】
0003170098.tif 000004
【図３】
0003170098.tif 000005
【図４】
0003170098.tif 000006
【図５】
0003170098.tif 000007